(57)【要約】【課題】入浴者を座位で入浴させる入浴装置と共に使用される浴槽について、幅広い層の入浴者（例えば、要介助者や健常者等が含まれる）が快適に使用できる構成を提供する。【解決手段】浴槽１Ａは、入浴者を座位で入浴させるための入浴装置が所定の方向の一端部に並設されることが想定されている。浴槽１Ａは、湯溜め可能とする入浴空間２を形成する底壁３及び側壁４と、前記所定の方向の他端部に設けられるとともに、入浴者が座ることが可能な座部６ａと、側壁４に設けられて、入浴空間２内に湯を供給するための給湯口５と、を備える。給湯口５は、入浴空間２の前記所定の方向の略中央部に設けられている。【選択図】図１
2014113415.tif 000002
【特許請求の範囲】
【請求項１】
入浴者を座位で入浴させるための入浴装置が所定の方向の一端部に並設されることになる浴槽であって、
湯溜め可能とする入浴空間を形成する底壁及び側壁と、
前記所定の方向の他端部に設けられるとともに、入浴者が座ることが可能な座部と、
前記側壁に設けられて、前記入浴空間内に湯を供給するための給湯口と、
を備え、
前記給湯口は、前記入浴空間の前記所定の方向の略中央部に設けられていることを特徴とする浴槽。
【請求項２】
前記給湯口は、前記側壁に形成される凹部内に設けられていることを特徴とする請求項１に記載の浴槽。
【請求項３】
前記座部の下部側には、前記入浴装置を構成する構成要素の一部を収納可能な収納空間が設けられていることを特徴とする請求項１又は２に記載の浴槽。
【請求項４】
前記入浴装置と、
請求項１から３のいずれかに記載の浴槽と、
を備える入浴システム。
【請求項５】
前記入浴装置には、入浴者を座らせる椅子部が着脱可能であるとともに、前記椅子部が外された状態で手すりとして利用可能な腕部が設けられていることを特徴とする請求項４に記載の入浴システム。
【発明の詳細な説明】
【技術分野】
【０００１】
本発明は、入浴者を座位で入浴させる入浴装置と並設して使用される浴槽に関する。また、本発明は、入浴装置と浴槽とを備える入浴システムに関する。
【背景技術】
【０００２】
従来、高齢者や身体障害者等の要介助者を入浴させるために、浴槽に付設される、様々なタイプの入浴装置が提案されている。このような入浴装置の一例として、要介助者を乗せる椅子を昇降させる昇降機構を備えるタイプのものが知られている。このタイプの入浴装置では、要介助者を乗せた椅子を昇降機構で昇降させることによって、要介助者が、浴槽内に入ったり、浴槽外へ出たりすることが可能になる。
【０００３】
しかし、このタイプの従来の入浴装置は、例えば小規模多機能型居宅介護施設用や在宅用として使用される場合に、不便に感じられることがある。すなわち、入浴装置を構成する椅子及び／又は昇降機構が、軽度の要介助者や健常者に対して圧迫感を与えたり、入浴動作の邪魔になったりすることがある。なお、小規模多機能型居宅介護施設とは、「通い（デイサービス）」を中心として、要介助者の様態や希望に応じて、随時「訪問（訪問介護）」や「泊まり（ショートステイ）」を組み合わせたサービスを提供する施設のことである。このような施設は、軽度から重度までの要介助者によって利用されることが想定される。
【０００４】
この点、特許文献１には、要介助者を乗せる椅子を昇降させる昇降機構を備えるとともに、軽度の要介助者や健常者が違和感を抱かないように工夫された入浴装置が開示されている。特許文献１に開示される入浴装置は、昇降動可能なマスト部と、該マスト部の上部に取り付けられて水平回動可能なアーム部と、該アーム部に取り付けられた椅子部と、を有する。この入浴装置では、椅子部がアーム部から分離でき、マスト部はケースに収納でき、更に、マスト部がケースに収納された状態で、アーム部がカバー内に収納できるようになっている。このために、軽度の要介助者等は、当該入浴装置に対して、圧迫感を抱いたり、邪魔であるといった印象を抱いたりすることがなくなる。
【先行技術文献】
【特許文献】
【０００５】
【特許文献１】特開２００７−７５１６７号公報
【発明の概要】
【発明が解決しようとする課題】
【０００６】
しかしながら、特許文献１に開示される入浴装置では、アーム部を収納するカバーを開くためのスペースが余分に必要となる。このために、特許文献１に開示される入浴装置においては、入浴装置を配置するためのスペースが大きくなり易いといった問題点が存在する。
【０００７】
このようなことから、本出願人は、スペースの狭い場所に設置し易く、幅広い層の入浴者（例えば、要介助者や健常者等が含まれる）が快適に使用できる入浴装置の開発を行っている。この開発の中で、入浴装置とともに使用される浴槽についても、幅広い層の入浴者の利便性や安全性等を考慮することが求められた。
【０００８】
以上の点に鑑みて、本発明の目的は、入浴者を座位で入浴させる入浴装置と共に使用される浴槽について、幅広い層の入浴者（例えば、要介助者や健常者等が含まれる）が快適に使用できる構成を提供することである。また、本発明の他の目的は、そのような浴槽と、入浴装置とを備える入浴システムについて、幅広い層の入浴者が快適に使用できる構成を提供することである。
【課題を解決するための手段】
【０００９】
上記目的を達成するために本発明の浴槽は、入浴者を座位で入浴させるための入浴装置が所定の方向の一端部に並設されることになる浴槽であって、湯溜め可能とする入浴空間を形成する底壁及び側壁と、前記所定の方向の他端部に設けられるとともに、入浴者が座ることが可能な座部と、前記側壁に設けられて、前記入浴空間内に湯を供給するための給湯口と、を備え、前記給湯口は、前記入浴空間の前記所定の方向の略中央部に設けられている構成（第１の構成）になっている。
【００１０】
本構成の浴槽は、入浴装置を利用して入浴する入浴者（例えば中度から重度の要介助者等）と、座部を利用して入浴する入浴者（例えば軽度の入浴者や、場合によっては健常者等）とに対応可能であり、幅広い層の入浴者に対応可能と言える。また、本構成の浴槽においては、入浴装置を利用して入浴する入浴者と、座部を利用して入浴する入浴者とは、反対向きに入浴空間に入る（座った姿勢を念頭においている）ことが想定される。そして、本構成では、給湯口の配置を工夫しているので、いずれの向きに入浴する入浴者にとっても似た箇所に給湯口が配置されることになる。このようにすることで、例えば、いずれの向きに入浴する入浴者にとっても、背中側に給湯口があるために当該給湯口が邪魔に感じられるという事態が起きなくなる。また、いずれか一方の向きに入浴する入浴者にとっては背中側から熱い湯が出て、他方向きに入浴する入浴者にとっては足側から湯が出るといった偏った状態の発生を防げる。なお、上述の「略中央部」なる文言は、このような効果が得られる範囲を意味するものであり、真ん中のみならず、真ん中からある程度ずれた位置も含む趣旨である。
【００１１】
上記第１の構成の浴槽において、前記給湯口は、前記側壁に形成される凹部内に設けられているのが好ましい。本構成によれば、入浴者が給湯口に直接触れる可能性を低減でき、安全性の高い浴槽を提供できる。なお、前記入浴空間を形成する前記側壁は、段差を形成するように内側に向けて突出する突出部を有し、前記溝部は前記突出部が形成されない部分である構成としてもよい。このような構成によれば、入浴者の快適性を損なうことなく、入浴空間に溜める湯量を減らせる（時間短縮や低コスト化が見込める）とともに、給湯口を配置するための凹部を簡単に得られる。
【００１２】
上記第１又は第２の構成の浴槽において、前記座部の下部側には、前記入浴装置を構成する構成要素の一部を収納可能な収納空間が設けられている構成（第３の構成）であるのが好ましい。本構成によれば、浴槽に並設される入浴装置の小型化が図れる。
【００１３】
上記目的を達成するために本発明の入浴システムは、前記入浴装置と、上記第１から第３のいずれかの構成の浴槽と、を備える構成（第４の構成）になっている。本構成の入浴システムは、上述の浴槽を備える構成であるために、幅広い層の入浴者にとって快適に使用されることが期待できる。
【００１４】
上記第４の構成の入浴システムにおいて、前記入浴装置には、入浴者を座らせる椅子部が着脱可能であるとともに、前記椅子部が外された状態で手すりとして利用可能な腕部が設けられている構成（第５の構成）が採用されるのが好ましい。本構成によれば、入浴装置の一部が手すりも兼ねる構成である。また、本構成では、椅子部が取り外せるために、例えば健常者や軽度の要介助者等は、圧迫感を感じずに入浴でき、入浴装置を邪魔と感じ難くなる。すなわち、本構成の入浴システムは、より幅広い層の入浴者が快適に使用することができる。
【発明の効果】
【００１５】
本発明によれば、入浴者を座位で入浴させる入浴装置と共に使用される浴槽について、幅広い層の入浴者（例えば、要介助者や健常者等が含まれる）が快適に使用できる構成を提供可能である。また、本発明によれば、そのような浴槽と、入浴装置とを備える入浴システムについて、幅広い層の入浴者が快適に使用できる構成を提供できる。本発明の浴槽及び入浴システムは、例えば、小規模多機能型居宅介護施設用や在宅用として好適である。
【図面の簡単な説明】
【００１６】
【図１】本発明の実施形態に係る浴槽を上から見た場合の概略平面図
【図２】図１のＡ−Ａ位置における概略断面図
【図３】図１のＢ−Ｂ位置における概略断面図
【図４】本発明の実施形態に係る入浴システムの構成を示す概略上面図
【図５】本発明の実施形態に係る入浴システムの構成を示す概略側面図
【図６】本発明の実施形態に係る入浴装置の構成を示す概略斜視図
【図７】図６（ｂ）に示す入浴装置を背面側から見た場合の概略斜視図
【図８】本発明の実施形態に係る入浴装置を利用して、椅子部に座った入浴者が入浴する場合について説明するための図で、第１の途中状態を示す図
【図９】本発明の実施形態に係る入浴装置を利用して、椅子部に座った入浴者が入浴する場合について説明するための図で、第２の途中状態を示す図
【図１０】本発明の実施形態に係る入浴装置を利用して、椅子部に座った入浴者が入浴する場合について説明するための図で、入浴者が入浴した状態を示す図
【図１１】本発明の実施形態に係る浴槽に、椅子部を用いることなく入浴者が入浴する場合の姿勢を示す図
【発明を実施するための形態】
【００１７】
以下、本発明の実施形態に係る、浴槽及び入浴システムについて、図面を参照しながら詳細に説明する。
【００１８】
＜浴槽＞
まず、本発明の実施形態に係る浴槽の構成について、図１から図３を参照しながら説明する。図１は、本発明の実施形態に係る浴槽１Ａを上から見た場合の概略平面図である。図２は、図１のＡ−Ａ位置における概略断面図である。図３は、図１のＢ−Ｂ位置における概略断面図である。
【００１９】
図１に示すように、浴槽１Ａは、上面視略長方形状に構成される。図１及び図２に示すように、浴槽１Ａには、湯を溜めて入浴者を入浴させる入浴空間２が形成されている。入浴空間２は、浴槽１Ａの底壁３と、該底壁３に対して立設される内側壁４とによって囲まれた空間である。入浴空間２は、上面視、四隅が丸められた略長方形状に構成され、その長手方向は、浴槽１Ａの外形の長手方向（本発明の所定の方向の一例）と一致する。
【００２０】
底壁３には、その略中央部に、入浴空間２に溜めた湯を外部に排出するための排水口３ａが設けられている。なお、この排水口３ａは、開閉可能に設けられている。排水口３ａの開閉方式としては、例えば、公知のポップアップ方式が採用されてもよいし、ゴム栓方式が採用されてもよい。また、底壁３には、入浴空間２に入った入浴者が滑らないように滑り止め部３ｂが設けられている。滑り止め部３ｂは、表面がざらざらに設けられる略円形の領域であり、底壁３ｂに複数設けられている。なお、複数設けられる滑り止め部３ｂの形状、配置、及び、数は、図１に示す構成に限らず、適宜変更されてよい。
【００２１】
内側壁４は、内側（入浴空間２側）に向けて突出する突出部４ａを有し、一部が段差構造になっている（例えば図３参照）。なお、突出部４ａを設けて一部を段差構造とするのは、入浴者の利便性を確保しつつ入浴空間２に溜める湯の量をなるべく少なくことを狙っている。突出部４ａの形成により、内側壁４には、突出部４ａ間に挟まれた凹部４ｂが形成されている。凹部４ｂは、入浴空間２の長手方向の略中央部に形成されている。
【００２２】
凹部４ｂ内には、入浴空間２内に湯を供給するための給湯口５が形成されている。給湯口５は、単に、内側壁４に対して設けた貫通穴であってもよいが、当該貫通穴に加えてフィルター等の部材を含む構成であるのが好ましい。給湯口５は、凹部４ｂ同様に、入浴空間２の長手方向の略中央部に設けられている。なお、給湯口５を設ける高さは、特に限定されるものではないが、あまり高すぎない位置が好ましい。また、給湯口５への湯の供給は、不図示の給湯装置によって行われる。
【００２３】
浴槽１Ａは、内側壁４の上部から水平方向外側に向けて突出する周縁部６を備える。この周縁部６は、浴槽１Ａの長手方向の一端側（図１及び図２の左端側）が幅広な構成となっている。この幅広部分６ａは、入浴者が座ることができるように設けられた部分であり、本発明の座部の一例である。以下、この幅広部分６ａを座部６ａと表現する。
【００２４】
浴槽１Ａの座部６ａの下側には広い空間７が形成されている。この空間７は、後述する入浴装置を構成する構成要素の一部（例えばポンプ、モータ、電気部品等）を収納するために使用される。なお、入浴装置を構成する構成要素以外のものが収納されてよいのは当然である。また、この空間７は、本発明の収納空間の一例であり、以下、この空間７を収納空間７と表現する。なお、図２に示すように、浴槽１Ａの下部側には、浴槽１Ａを支持する浴槽用フレーム８が配置されてよい。そして、上記、収納空間７に配置される要素は、浴槽フレーム８上に配置されてよい。
【００２５】
＜入浴システム＞
次に、本発明の実施形態に係る入浴システムの構成について説明する。図４は、本発明の実施形態に係る入浴システムの構成を示す概略上面図である。図５は、本発明の実施形態に係る入浴システムの構成を示す概略側面図である。図４及び図５に示されるように、本実施形態の入浴システムは、上述した浴槽１Ａと、浴槽１Ａの長手方向の一端側（図４及び図５において右端側；座部６ａが設けられる端部と反対側の端部）に並設される入浴装置１Ｂと、を備える。
【００２６】
なお、図４（ａ）と図４（ｂ）、及び、図５（ａ）と図５（ｂ）は、いずれも入浴装置１Ｂの状態が異なる。この点の詳細は、後述する内容によって明らかになる。また、本実施形態の入浴システムにおいては、浴槽１Ａは、図５に示すように、上述の浴槽フレーム８に搭載された状態で、浴室の床面Ｆよりも低い位置に固定配置されている。このように構成することによって、浴槽１Ａの上面の床面Ｆからの高さを低くできるので、入浴者は浴槽の側壁を難なく跨いで入浴することが可能になる。なお、図５の一点鎖線は、本来は見えない部分であることを意味する。また、入浴装置１Ｂも床面Ｆよりも低い位置に配置されている。
【００２７】
その他、浴槽１Ａの外壁（浴槽１Ａの長手方向に平行な外壁（外面））には、長手方向に細長く延びる溝部９ａが設けられている（図５参照）。この溝部９ａは、特に設けなくてもよいが、浴槽１Ａ内に入った入浴者が、浴槽１Ａの側壁につかまり易いように設けられている。また、浴槽１Ａの外壁（浴槽１Ａの長手方向に平行な外壁）には、後述の車椅子の位置を位置決めするための位置決め溝９ｂを設けるのが好ましい（図５参照）。
【００２８】
図４及び図５に示すように、本実施形態の入浴システムが備える入浴装置１Ｂは、基台部１０と、椅子部（不図示；詳細は後述する）を着脱可能に設けられる腕部１１と、腕部１１を基台部１０に対して昇降可能とする昇降機構１２と、腕部１１を基台部１０に対してスライド移動可能とするスライド機構１３と、を備える。
【００２９】
図４（ａ）と図４（ｂ）では、スライド機構１３によってスライド移動可能な腕部１１の、スライド方向の位置が異なる。図５（ａ）と図５（ｂ）とでは、昇降機構１２によって昇降可能な腕部１１の、昇降方向の位置が異なる。
【００３０】
＜入浴装置の詳細構成＞
以下、入浴装置１Ｂの構成を更に詳細に説明する。図６は、本発明の実施形態に係る入浴装置１Ｂの構成を示す概略斜視図であり、図６（ａ）と図６（ｂ）とでは、腕部１１の水平方向の位置が異なっている。また、図７は、図６（ｂ）に示す入浴装置１Ｂを背面側から見た場合の概略斜視図である。なお、図６及び図７においては、入浴装置１Ｂに取り付けられるカバー部材が適宜取り外された状態が示されている。また、図６及び図７においては、腕部１１に椅子部２１が取り付けられた状態が示されている。
【００３１】
入浴装置１Ｂを構成する基台部１０は、例えば金属フレームを用いて構成される。この基台部１０上には、昇降機構１２が設けられている。昇降機構１２には、油圧シリンダ１２１が含まれる。油圧シリンダ１２１は不図示の油圧装置によって作動される。この油圧装置は、例えば、浴槽１Ｂの座部６ａの下部側に設けられる収納空間７（図２参照）に配置される。この油圧装置には、油圧ポンプと、油圧ポンプを動作させるモータと、油圧シリンダ１２１へと供給する油を溜めておくとともに油圧シリンダ１２１から戻ってくる油を溜める油タンクと、油圧制御弁と、が含まれる。油圧装置は、公知の構成のものでよく、その詳細な説明は省略する。
【００３２】
また、昇降機構１２には、基台部１０に固定配置される油圧シリンダ１２１のピストンロッド１２１ａに取り付けられて、ピストンロッド１２１ａの上下動に連動して上下方向（図中のＹ方向が該当）に動く可動部１２２が含まれる。なお、本実施形態では、可動部１２２が油圧シリンダ１２１を用いて昇降される構成としているが、可動部１２２の昇降は、この構成に限られる趣旨ではない。すなわち、可動部１２２の昇降は、例えばモータとワイヤとを用いて実現される構成等でも構わない。
【００３３】
昇降機構１２を構成する可動部１２２上には、スライド機構１３が設けられている。スライド機構１３は、基台部１０に対して相対移動可能なスライド部を含む。本実施形態では、このスライド部は、第１のスライド部１３１と第２のスライド部１３２とで構成されている。
【００３４】
第１のスライド部１３１は、可動部１２２の上面に、水平方向にスライド移動可能（図中のＸ方向にスライド移動可能）に取り付けられている。より詳細には、第１のスライド部１３１は、略直方体形状の棒状部１３１ａと、棒状部１３１ａの下面に設けられ、その長手方向（図中のＸ方向）に延びるレール部１３１ｂと、を備える構成になっている。レール部１３１ｂが、可動部１２２の上面に設けられるレール受け部１２２ａに嵌め合わされることによって、第１のスライド部１３１は可動部１２２に対して水平方向にスライド移動可能になっている。
【００３５】
なお、第１のスライド部１３１を構成する棒状部１３１ａの下面の、長手方向の両端部には、それぞれ突起部１３１ｃが２つずつ設けられている。突起部１３１ｃが、可動部１２２の上面に設けられるレール受け部１２２ａに当接することによって、第１のスライド部１３１の水平方向へのスライド移動が規制される。そして、これら突起部１３１ｃの存在により、第１のスライド部１３１が可動部１２２から脱落することはない。一応断っておくが、各端部に設けられる突起部１３１ｃの数は、適宜変更して構わない。
【００３６】
第２のスライド部１３２は、第１のスライド部１３１の側面に、水平方向にスライド移動可能（図中のＸ方向にスライド移動可能）に取り付けられている。より詳細には、第２のスライド部１３２は、おおよそ板状に設けられる板状部１３２ａと、板状部１３２ａの一方板面に設けられ、その長手方向（図中のＸ方向）に延びるレール部１３２ｂと、を備える構成になっている。ここで、板状部１３２ａは、棒状部１３１ａの長手方向の一側面に対向するように配置されており、前述の一方板面は、棒状部１３１ａの長手方向の一側面に対向する側の板面である。レール部１３２ｂが、棒状部１３１ａの長手方向の一側面に設けられるレール受け部１３１ｄに嵌め合わされることによって、第２のスライド部１３２は第１のスライド部１３１に対して水平方向にスライド移動可能になっている。
【００３７】
なお、第２のスライド部１３２を構成する板状部１３２ａの一方板面（レール部１３２ｂが設けられる側の板面）の、長手方向の両端部には、それぞれ突起部１３２ｃが２つずつ設けられている。突起部１３２ｃが、第１のスライド部１３１を構成する棒状部１３１ａの長手方向の一側面に設けられるレール受け部１３１ｄに当接することによって、第２のスライド部１３２の水平方向への移動が規制される。そして、これら突起部１３２ｃの存在により、第２のスライド部１３２が第１のスライド部１３１から脱落することはない。一応断っておくが、各端部に設けられる突起部１３２ｃの数は、適宜変更して構わない。
【００３８】
また、第１のスライド部１３１及び第２のスライド部１３２は、切替機構１４（図７参照）によって、スライド移動不可能な状態（ロック状態）と、スライド移動可能な状態（アンロック状態）との切り替えが可能になっている。切替機構１４には、使用者が操作可能な操作ボタン１４１と、操作ボタン１４１の操作に連動して回動する回動部１４２と、回動部１４２の回動に連動する係合ピン１４３と、係合ピン１４３と係合する係合穴１４４と、が含まれる。操作ボタン１４１、回動部１４２、及び、係合ピン１４３は、第２のスライド部１３２（板状部１３２ａ）に設けられる。また、係合穴１４４は、可動部１２２の上面の、長手方向の両端部に１つずつ設けられる（図６（ｂ）参照）。
【００３９】
係合ピン１４３が、２つ設けられる係合穴１４４のうちのいずれか一方と係合（嵌合）すると、スライド機構１３によるスライド移動を不可能とするロック状態が得られる。図６（ａ）、及び、図６（ｂ）はいずれもロック状態を示しているが、図６（ａ）と図６（ｂ）とでは、係合ピン１４３が係合する係合穴１４４は異なるものになっている。
【００４０】
ロック状態において、操作ボタン１４１が押圧されると、回動部１４２が回動して係合ピン１４３が上側に持ち上げられ、係合ピン１４３と係合穴１４４との係合が解除される。すなわち、アンロック状態が得られ、２つのスライド部１３１、１３２のスライド移動が可能になる。一方、アンロック状態でスライド部１３１、１３２がスライド移動されて、係合ピン１４３が係合穴１４４に重なる位置に至ると、係合ピン１４３が係合穴１４４に係合（嵌合）する。すなわち、ロック状態が得られ、２つのスライド部１３１、１３２のスライド移動が不可能になる。
【００４１】
また、可動部１２２には、係合ピン１４３が係合穴１４４に係合した状態を検知するセンサ１５が設けられている（図６（ｂ）参照）。センサ１５は、２つの係合穴１４４のそれぞれに対応して１つずつ、計２つ設けられている。センサ１５としては、例えば、係合ピン１４３が係合穴１４４に係合した場合にスイッチがオンされる、機械式のマイクロスイッチ等が使用されてよい。その他、当該センサは、フォトインタラプタのような光センサや、磁気センサ等で構成されても構わない。
【００４２】
なお、センサ１５は、腕部１１のスライド移動がロックされていない状態で、昇降機構１２によって腕部１１が昇降されるという事態が発生しないように設けられている。入浴装置１Ｂは図示しない制御部を備えており、当該制御部が、センサ１５から得られる信号に基づいて、昇降機構１２による昇降動作の可否を制御する。これにより、入浴者の安全を確保することができる。
【００４３】
腕部１１は、連結部１１１を介して第２のスライド部１３２の板状部１３２ａの板面（レール部１３２ｂが設けられるのと反対側の板面）に、例えばビス等を用いて固定される。腕部１１は、詳細には、上下方向に離れて平行に配置される２本の棒状部１１ａと、２本の棒状部１１ａの端部間を連結する２つの円弧状部１１ｂと、で構成され、全体として環状に設けられる。環状に設けられる腕部１１は、スライド移動の方向（図中のＸ方向）と略平行な方向に細長く延びた構成になっている。
【００４４】
腕部１１は、第２のスライド部１３２に固着されるために、第１のスライド部１３１に対してスライド移動でき、結果として可動部１２２に対してスライド移動できる。そして、可動部１２２は、基台部１０に対して上下方向（昇降方向）に移動可能に設けられる。このために、腕部１１は、基台部１０に対して昇降可能であるとともに、水平方向にスライド移動可能となっている。
【００４５】
椅子部２１の背面には、２つのフック部２１ａが設けられている。腕部１１を構成する上側の棒状部１１ａを下方からフック部２１ａに係合させることによって、腕部１１に椅子部２１が取り付けられた状態が得られる（図６及び図７参照）。なお、この状態で、腕部１１から椅子部２１が簡単に脱落しないように、椅子部２１の脱落を防止するロック機構が設けられるのが好ましい。
【００４６】
＜入浴システム（浴槽含む）の作用効果＞
次に、本発明の実施形態に係る入浴装置システム（浴槽１Ａ及び入浴装置１Ｂを備える）の作用効果について説明する。
【００４７】
まず、例えば重度から中度の要介助者が入浴する場合（すなわち、椅子部２１が使用される場合）を例に説明する。図８〜１０は、いずれも、本発明の実施形態に係る入浴装置１Ｂを利用して、椅子部２１に座った入浴者が入浴する場合について説明するための図である。図８は、入浴装置１Ｂを利用して入浴者が入浴する場合の第１の途中状態を示す。図９は、入浴装置１Ｂを利用して入浴者が入浴する場合の第２の途中状態を示す。図１０は、入浴装置１Ｂを利用して入浴者が入浴した状態を示す。
【００４８】
入浴者を入浴させるための準備として、まず、腕部１１がスライド機構１３を利用して、図４（ａ）の状態から図４（ｂ）の状態になるように引き出される。なお、この際、腕部１１は、昇降機構１２によって上側に移動されず、下側に位置したままである。詳細には、例えば介助者等が、切替機構１４の操作ボタン１４１を押圧する。これにより、第２のスライド部１３２に設けられる係合ピン１４３と、可動部１２２に設けられる係合穴１４４との係合が解除され、第２のスライド部１３２（第１のスライド部１３１も）がスライド移動可能な状態になる。なお、この状態では、センサ１５のスイッチがオフされるために、昇降機構１２による腕部１１の昇降が不可能になる。
【００４９】
この状態で、介助者等が第２のスライド部１３２（腕部１１）を手前側に引っ張り出すと、第２のスライド部１３２の移動が或る程度進んだ段階で、第２のスライド部１３２が備える突起部１３２ｃ（奥側にある方の突起部）が、第１のスライド部１３１のレール受け部１３１ｄに当接する。これにより、第２のスライド部１３２と共に第１のスライド部１３１もスライド移動を開始する。この状態で、スライド移動を更に進めると、係合ピン１４３が、可動部１２２の反対側に設けられる係合穴１４４の上に至り、両者が係合する。これにより、スライド部１３１、１３２はスライド移動できない状態となる。なお、この状態では、センサ１５のスイッチがオンされるために昇降機構１２による腕部１１の昇降が可能になる。
【００５０】
スライド部１３１、１３２が手前側に引っ張り出されることによって、腕部１１も所定量だけ手前側に引っ張り出され、椅子部２１の取り付けが可能になる。なお、本実施形態では、スライド部が複数（本実施形態では２つであるが、それ以上でも構わない）で構成され、多段階で腕部１１が手前側に引っ張り出される構成になっている。これにより、腕部１１のスライド方向の長さを短く抑えつつ、腕部１１を椅子部２１に取り付けるために必要となる量だけ引き出すことが可能になっている。すなわち、本実施形態の構成では、腕部１１が、浴槽１Ａに対してスライド方向（図４におけるＸ方向）にはみ出すことを抑制可能になっている。ただし、例えば浴槽１Ａを大型とできる場合等には、スライド部は、１つのみで構成されても構わない。
【００５１】
腕部１１が所定量だけ引っ張り出されると、次に、図８に示すように、要介助者Ｍが乗せられた車椅子２０が浴室に運ばれてくる。そして、車椅子２０が所定の位置にセットされる。この所定の位置は、位置決め溝９ｂ（図５参照）に、車椅子２０の車輪２２ａの上側に設けられる位置決め部２２ｂを合せることによって得るようにしてもよい。
【００５２】
なお、車椅子２０は、椅子部２１と、車輪２２ａを有する台車部２２と、によって構成されている。そして、車椅子２０は、椅子部２１と、台車部２２とが分離可能になっている。
【００５３】
車椅子２０が所定の位置にセットされると、例えば介助者が昇降機構１２によって可動部１２２が上向きに移動するように電源スイッチ（不図示）をオンする。当該電源スイッチは、例えば、浴槽１Ａや入浴装置１Ｂの本体部分に設けられる構成でもよいし、リモコンに設けられる構成でもよい。当該電源スイッチのオンにより、腕部１１が上昇され、腕部１１と椅子部２１のフック部２１ａとが係合して、入浴者Ｍを乗せた椅子部２１が所定の高さまで持ち上げられる（図９の状態になる）。なお、所定の高さは、少なくとも、スライド機構１３によって椅子部２１が奥側に押し込まれる場合に、椅子部２１の最下端が浴槽１Ａと当接しない高さである必要がある。
【００５４】
椅子部２１が所定の高さまで持ち上げられると、次に、介助者等は、切替機構１４の操作ボタン１４１を押圧する。これにより、第２のスライド部１３２に設けられる係合ピン１４３と、可動部１２２に設けられる係合穴１４４との係合が解除され、第２のスライド部１３２（第１のスライド部１３１も）がスライド移動可能な状態になる。なお、この状態では、センサ１５のスイッチがオフされるために、昇降機構１２による腕部１１の昇降が不可能になる。
【００５５】
介助者等が、第２のスライド部１３２を奥側に押し込む動作を行うことにより、第２のスライド部１３２が奥側に向けて移動する。そして、第２のスライド部１３２の移動が或る程度進んだ段階で、第２のスライド部１３２が備える突起部１３２ｃ（手前側にある方の突起部）が、第１のスライド部１３１のレール受け部１３１ｄに当接する。これにより、第２のスライド部１３２と共に第１のスライド部１３１もスライド移動を開始する。この状態で、スライド移動を更に進めると、係合ピン１４３が、可動部１２２の奥側に設けられる係合穴１４４の上に至り、両者が係合する。これにより、スライド部１３１、１３２はスライド移動できない状態となる。なお、この状態では、センサ１５のスイッチがオンされるために、昇降機構１２による腕部１１の昇降が可能になる。
【００５６】
この後、例えば介助者が昇降機構１２によって可動部１２２が下向きに移動するように電源スイッチ（不図示）をオンする。これによって、椅子部２１が取り付けられた腕部１１が下降され、湯が溜められた入浴空間２内に入浴者Ｍが移動される。この移動は、椅子部２１が所定の位置まで下げられると停止する（図１０の状態となる）。当該所定の位置は、入浴者が入浴空間２内の湯に浸かれ、更に、椅子部２１が浴槽１Ａに過度の力を及ぼさないように適宜決定される。入浴者Ｍが入浴空間２（浴槽１Ａ）外へと運び出される場合には、以上と反対の動作が行われる。
【００５７】
例えば、軽度の要介助者や健常者等が入浴する場合には、入浴装置１Ｂは、図４（ａ）且つ図５（ａ）に示される状態とされる。すなわち、腕部１１には椅子部２１は取り付けられず、腕部１１は、昇降機構１２によって持ち上げられることなく、更に、スライド機構１３によって引っ張り出されていない状態とされる。この場合、腕部１１（腕部１１を構成する棒状部１１ａ）は、浴槽１Ａの一の側壁の上面に沿うように配置されることになる。
【００５８】
軽度の要介助者等は、例えば浴槽１Ａの座部６ａに一旦腰をかけ、その後、入浴空間２内に移乗するといったことができる。また、他のケースとして、軽度の要介助者等は、腕部１１を手すりとして利用して入浴空間２内に入るといったことができる。いずれの場合にも、入浴者の向き（入浴空間２に座った状態の向き）は、椅子部２１に座った状態で入浴空間２に入る入浴者の向きとは異なった向きとなることが想定される（図１０及び図１１参照）。なお、図１１は、本発明の実施形態に係る浴槽１Ａに、椅子部２１を用いることなく入浴者Ｍが入浴する場合の姿勢を示す図である。
【００５９】
上述のように、浴槽１Ａの内側壁４に設けられる給湯口５は、入浴空間２の長手方向の略中央部に配置される。このために、椅子部２１に座った状態で入浴する入浴者と、椅子部２１を使うことなく入浴する入浴者とのいずれ（互いに異なる向きで入浴する入浴者のいずれ）にとっても、給湯口５は似た箇所に配置されることになる。このために、例えば、いずれの向きの入浴者も、背中側に給湯口があるために給湯口が邪魔に感じられたり、給湯口の存在によって怪我をしたりするといった不都合が発生することを回避できる。また、いずれか一方の向きに入浴する入浴者にとっては背中側から熱い湯が出て、他方向きに入浴する入浴者にとっては足側から熱い湯が出る、といった偏った状態が発生することも防げる。
【００６０】
また、椅子部２１が取り外された状態において、腕部１１は入浴空間２内に向かって過度に突出するものではないために、入浴者は入浴装置１Ｂによって圧迫感を与えられることはなく、入浴装置１Ｂを邪魔と感じない。更には、腕部１１に椅子部２１が取り付けられない場合でも、腕部１１は、カバーを用いて収納する必要がない。すなわち、本実施形態の入浴装置１Ｂは、カバーを開くための余分なスペースが必要とならないために、入浴装置を設けるためのスペースの低減が図れる。
【００６１】
＜その他＞
以上に示した実施形態は本発明の例示であり、本発明の適用範囲は、以上に示した実施形態の構成に限定されるものではない。本発明の技術的思想の範囲内において、以上に示した実施形態は種々の変更が可能である。
【００６２】
例えば、以上に示した浴槽１Ａの適当な箇所に、手すりが設けられる構成が採用されてもよい。なお、手すりは、浴室の適当な箇所に設けられてもよい。
【００６３】
また、以上に示した実施形態では、腕部１１に対して着脱可能な椅子部２１は、車椅子２０の一部とされたが、椅子部２１は車椅子とセットで使用されるものでなくても構わない。
【００６４】
また、以上に示した実施形態では、浴槽１Ａと、入浴装置１Ｂとは別体として構成されているが、場合によっては、両者は一体的に設けられても勿論構わない。
【符号の説明】
【００６５】
１Ａ  浴槽
１Ｂ  入浴装置
２  入浴空間
３  底壁
４  内側壁
４ｂ  凹部
５  給湯口
６ａ  座部
７  収納空間
１１  腕部
２１  椅子部
【図１】
2014113415.tif 000003
【図２】
2014113415.tif 000004
【図３】
2014113415.tif 000005
【図４】
2014113415.tif 000006
【図５】
2014113415.tif 000007
【図６】
2014113415.tif 000008
【図７】
2014113415.tif 000009
【図８】
2014113415.tif 000010
【図９】
2014113415.tif 000011
【図１０】
2014113415.tif 000012
【図１１】
2014113415.tif 000013